(57)【要約】【課題】紫外線漏れを抑制しつつ、掃除対象面に対する殺菌効果の向上を図ることができる掃除機ヘッドを提供すること。【解決手段】掃除対象面に対面する底面の正走行方向である前方側に集塵口を備えた掃除機ヘッドであって、掃除機ヘッド内部に紫外線を発光する紫外線ランプを設けると共に、底面の集塵口よりも掃除機ヘッド後方側に、紫外線ランプから発光された紫外線を外部に露光する露光口を設けた。【選択図】図２
0003127307.tif 000002
【実用新案登録請求の範囲】
【請求項１】
掃除対象面に対面する底面の正走行方向である前方側に集塵口を備えた掃除機ヘッドであって、
掃除機ヘッド内部に紫外線を発光する紫外線ランプを設けると共に、
前記底面の前記集塵口よりも掃除機ヘッド後方側に、前記紫外線ランプから発光された紫外線を外部に露光する露光口を設けた、
ことを特徴とする掃除機ヘッド。
【請求項２】
前記露光口を、掃除機ヘッドの前後方向においてほぼ中央付近に設けた、ことを特徴とする請求項１記載の掃除機ヘッド。
【請求項３】
前記露光口を、掃除機ヘッドの前後方向に対してほぼ垂直な方向における前記集塵口の幅よりも狭い範囲内に設けた、ことを特徴とする請求項１又は２記載の掃除機ヘッド。
【請求項４】
前記露光口を、掃除機ヘッドの前後方向に対してほぼ垂直方向に延びる溝状に形成した、ことを特徴とする請求項１，２又は３記載の掃除機ヘッド。
【考案の詳細な説明】
【技術分野】
【０００１】
本考案は、掃除機ヘッドにかかり、特に、殺菌機能を有する掃除機ヘッドに関する。
【背景技術】
【０００２】
掃除を行う際に一般的に使用される掃除機は、吸引力を発生する吸引力発生部と、この吸引力にて周囲のごみ等を吸引するなど集塵する集塵口を有する掃除機ヘッドと、集塵口から吸引されたごみ等を収集する集塵部と、を備えており、掃除機全体の形態は様々である。例えば、吸引力発生部と集塵部とは掃除機本体に形成されていて、ホースを介して掃除機ヘッドが連結されている形態や、掃除機ヘッドに全ての構成が組み込まれているものがある。
【０００３】
そして、近年では、収集したごみに対して殺菌する機能が設けられた掃除機に関する技術が開示されている。例えば、ごみなどに含まれる、あるいは、繁殖した細菌が排気されないよう排気流路に紫外線ランプを配置して殺菌する技術が、下記特許文献１に開示されている。また、吸引時にごみ等を殺菌する技術が下記特許文献２に開示されている。この特許文献２には、掃除機ヘッドの先端側に紫外線ランプを設け、掃除面自体に照射する構成が開示されており、例えば、カーペットなどに付着しているダニなどの害虫に照射して衝撃を与えて弱化させて集塵する、という技術である。
【０００４】
【特許文献１】特開２００３−２１０３６３号公報
【特許文献２】特開２００４−２８３５４５号公報
【考案の開示】
【考案が解決しようとする課題】
【０００５】
しかしながら、上記特許文献２に開示された紫外線ランプを用いた掃除機では、掃除機ヘッドの先端付近に紫外線ランプを設けて外部に照射しているため、紫外線ランプから照射された紫外線が外部に漏れる可能性が高くなり、人体に影響を与える可能性が生じうる。さらに、集塵口よりも掃除機ヘッドの先端側で紫外線を照射する構造を採っているため、紫外線の多くが吸引される前のごみや害虫などに照射されることとなり、掃除後の掃除対象面に対する殺菌効果が低い、という問題が生じる。
【０００６】
このため、本考案では、上記従来例の有する不都合を改善し、特に、紫外線漏れを抑制しつつ、掃除対象面に対する殺菌効果の向上を図ることができる掃除機ヘッドを提供することをその目的とする。
【課題を解決するための手段】
【０００７】
そこで、本考案の一形態である掃除機ヘッドは、掃除対象面に対面する底面の正走行方向である前方側に集塵口を備えた掃除機ヘッドであって、掃除機ヘッド内部に紫外線を発光する紫外線ランプを設けると共に、底面の集塵口よりも掃除機ヘッド後方側に、紫外線ランプから発光された紫外線を外部に露光する露光口を設けた、ことを特徴としている。
【０００８】
上記考案によると、掃除機ヘッドの底面の正走行方向（操作者によって押される方向）となる前方側では、集塵口にて掃除対象面に存在するごみ等が集塵されると共に、その後方側に位置する露光口から紫外線が掃除対象面に露光される。従って、集塵口にてごみ等が取り除かれた後の掃除対象面に対して紫外線が照射されるため、掃除対象面に対する紫外線による殺菌効果の向上を図ることができる。そして、露光口は集塵口が位置に対して後方側に形成されており、極端に前方端付近あるいは後方端付近に形成されていないため、露光口の上方が掃除機ヘッドの底面で広く覆われていることとなる。従って、紫外線ランプから照光された紫外線が外部に漏れることを有効に抑制することができ、人体への影響も抑制しつつ、殺菌を行うことができる。
【０００９】
そして、上記構成において、露光口を、掃除機ヘッドの前後方向においてほぼ中央付近に設けると望ましい。また、露光口を、掃除機ヘッドの前後方向に対してほぼ垂直な方向における集塵口の幅よりも狭い範囲内に設けるとなお望ましい。
【００１０】
これにより、掃除機ヘッドの底面のうち、前後方向、及び、これに垂直な横方向で、より中心付近に露光口が形成されるため、紫外線が掃除機ヘッドの周囲から漏れることをより有効に抑制することができる。また、露光口を、集塵口の横幅よりもさらに狭い範囲に形成しているため、集塵された掃除対象面に対してのみ紫外線を露光させることができ、殺菌効果の向上を図ることができる。
【００１１】
さらに、露光口を、掃除機ヘッドの前後方向に対してほぼ垂直方向に延びる溝状に形成すると望ましい。これにより、紫外線の露光範囲を、前後方向に対する垂直方向には広く、前後方向においては狭く形成しているため、掃除機ヘッドの走行時に、当該掃除機ヘッドの前後端からの紫外線の漏れを有効に抑制しつつ、広範囲に殺菌することができる。
【考案の効果】
【００１２】
本考案は、以上のように構成され機能するので、これによると、集塵口にてごみ等が取り除かれた後の掃除対象面に対して紫外線が照光されるため、掃除対象面に対する紫外線による殺菌効果の向上を図ることができる。さらに、露光口の上方が掃除機ヘッドの底面で広く覆われているため、紫外線ランプから照光された紫外線が外部に漏れることを有効に抑制することができ、人体への影響も抑制しつつ、殺菌を行うことができる、という従来にない優れた効果を有する。
【考案を実施するための最良の形態】
【００１３】
本考案は、殺菌効果を有する紫外線を掃除対象面に対して露光する露光口の形成位置に特徴を有する。以下、具体的な構成及び動作を、実施例にて説明する。なお、実施例では、吸引力発生部や集塵部などが掃除機ヘッドに一体的に装備された掃除機を一例に挙げて説明するが、掃除機はいかなる構成のものであってもよい。例えば、吸引力発生部と集塵部が設けられた本体部と、この本体部にホースにて掃除機ヘッドと、を備えた構成の掃除機であってもよい。
【実施例１】
【００１４】
本考案の第１の実施例を、図１乃至図３を参照して説明する。図１は、掃除機の全体構成を示す図であり、図２は、掃除機ヘッドの裏面の構成を示す図である。図３は、掃除機の動作説明図である。
【００１５】
［構成］
本実施例における掃除機は、図１に示すように、棒状の柄部２と、その一端に設けられた操作者が把持する操作部３と、柄部２の他端に連結される掃除機ヘッド１と、を備えている。そして、この掃除機は、掃除機ヘッド１に、掃除機を機能させるほとんどの構成が装備されている。以下、さらに詳述する。なお、掃除対象面Ｇに対面する掃除機ヘッド１の底面の構成を、図２に示す。
【００１６】
ここで、本発明では、操作者によって掃除機ヘッド１が押されて移動させられる方向を正走行方向（図１〜図３に示す矢印Ｙ１の方向）とし、当該正走行方向を前方とする。また、正走行方向とは反対方向を後方とする。従って、掃除機ヘッド１の柄部２の連結箇所とは反対側の端面を前方端Ａとし、柄部２の連結箇所側の端面を後方端Ｂとする。さらに、前後方向を縦方向とし、前後方向に垂直な左右方向を横方向とする。
【００１７】
まず、掃除機ヘッド１には、柄部２との連結箇所付近に、吸引力を発生させる吸引力発生部１１が設けられている。また、掃除機ヘッド１の中央上部には、後述するように、集塵口１４から集塵したごみや埃を収集して蓄積する集塵ボックス１２が形成されている。そして、上記吸引力発生部１１による吸引力は、少なくとも集塵ボックス１２に対して付勢されており、収集したごみや埃を吸引力にて蓄積させておくことかできる。なお、場合によっては、吸引力が集塵ボックス１２を経て、集塵口１４に対して付勢されていてもよい。
【００１８】
次に、掃除機ヘッド１の掃除対象面Ｇに対面する底面の構成を説明する。図２に示すように、掃除機ヘッド１の底面の前方端Ａ側と後方端Ｂ側には、それぞれ２つずつ、計４つの車輪１７が装備されている。これにより、操作者は掃除機ヘッド１を走行させることが容易となり、また、掃除機ヘッド１の底面は、車輪１７の高さ分だけ、図３に示すように、掃除対象面Ｇに対して上方に位置することとなる。
【００１９】
そして、掃除機ヘッド１の底面の前方端Ａ付近には、当該掃除機ヘッド１の前後方向（矢印Ｙ１方向に沿った方向）とは垂直方向に長辺を有する長方形状の集塵口１４が形成されている。つまり、掃除機ヘッド１の前後方向に対して垂直方向である横方向に広く開口された集塵口１４が形成されている。これにより、掃除機ヘッド１を走行させることで、より広い範囲を集塵口１４にて走査することができ、掃除効率が向上しうる。そして、この集塵口１４には、回転駆動されるブラシ１６が設けられており、掃除対象面Ｇを走査中に回転して、当該掃除対象面Ｇに存在するごみや埃をかきとり、集塵口１４に導くよう作動する。
【００２０】
また、掃除機ヘッド１の集塵口１４よりも後方側（後方端Ｂ側）であって、前後方向の中心よりもやや前方よりの箇所には、掃除機ヘッド１内部に貫通する露光口１５が形成されている。この露光口１５は、掃除機ヘッド１の走行方向に対してほぼ垂直方向に延びる溝状に形成されており、３つに分断されて形成されている。つまり、露光口１５は、前方端Ａや集塵口１４の長辺とほぼ平行に長手方向を有する溝状の貫通孔であり、分断された３つの露光口１５がほぼ直列に並んで形成されている。また、露光口１５は、その全てが、集塵口１４の長手方向の範囲よりも内側に、つまり、走行方向とは垂直な方向の横幅よりも狭い範囲内に、設けられている。以上より、露光口１５は、掃除機ヘッド１の前後方向、及び、この前後方向に垂直な横方向のそれぞれにおいて、中央よりに形成されている。なお、掃除機ヘッド１の前後方向に沿った露光口１５の溝幅は、集塵口１４の前後方向に長さ（短辺）よりもはるかに狭く形成されている。
【００２１】
そして、掃除機ヘッド１の内部であって、上記露光口１５の上方には、紫外線ランプ１８が設けられている。なお、紫外線ランプ１８の配置について、図３に示すが、この図では、紫外線ランプ１８をブロック化して図示している。そして、紫外線ランプ１からは、殺菌効果を有する紫外線が発光され（図３の矢印Ｌ１参照）、この紫外線が、露光口１５から外部に、つまり、掃除対象面Ｇに露光されることとなる（図３の符号Ｌ２参照）。
【００２２】
なお、図１に示すように、掃除機ヘッド１の前方端Ａの端面には、４つのライト１３が設けられている。このライト１３は、掃除機ヘッド１の走行先を照らすためのものである。
【００２３】
［動作］
次に、上記構成の掃除機、特に、掃除機ヘッド１の動作を、図３を参照して説明する。まず、操作者は、掃除機のスイッチをオンにし、主に押して矢印Ｙ１方向（正走行方向）に走行させながら掃除を行う。このとき、掃除機ヘッド１の底面の集塵口１４では、ブラシ１６が回転駆動される。すると、掃除機ヘッド１の前方端Ａ付近では、掃除対象面Ｇに存在するごみや埃が矢印Ｙ２に示すように集塵口１４に向かってかき入れられ、当該かき入れられたごみや埃が、そのかき入れ力や吸引力によって集塵ボックス１２に収容される。
【００２４】
その後、上記のように掃除された掃除対象面Ｇ上には、集塵口１４の後方に形成された露光口１５が位置することとなる。すると、この露光口１５からは、内部の紫外線ランプ１８から発光された紫外線Ｌ１が、符号Ｌ２に示すように、掃除対象面Ｇに対して露光される。従って、集塵口１４にてごみ等が取り除かれた後の掃除対象面Ｇに対して紫外線を照射させることができ、当該掃除対象面Ｇを殺菌することができる。このとき、露光された紫外線Ｌ２の上方は、掃除機ヘッド１の底面で広く覆われているため、紫外線Ｌ２が外部に漏れることを有効に抑制することができ、操作者などの人体への影響も抑制することができる。そして、露光口１５は、集塵口１４と同様に、掃除機ヘッド１の走行方向とは垂直方向、つまり、横方向に長く形成されているため、一度の走査で広範囲を殺菌することができる。
【００２５】
このとき、掃除機ヘッド１の前後方向の長さは短く形成されているが、露光口１５の溝幅（前後方向の幅）もきわめて狭く形成されているため、掃除機ヘッド１の前方端Ａあるいは後方端Ｂからの紫外線の漏れも有効に抑制することができる。
【００２６】
ここで、上記では、露光口１５を、掃除機ヘッド１の前後方向の中央よりもやや前方側に形成した場合を例示したが、かかる位置に限定されない。掃除機ヘッド１の前後方向のほぼ中央に設けてもよく、それよりもやや後方端Ｂ側に形成してもよい。つまり、掃除機ヘッド１の底面の外周付近でなければよい。従って、本考案においては、掃除機ヘッド１の外周付近よりも内側に位置する箇所を、露光口１５が形成される望ましい位置とし、かかる位置を、掃除機ヘッド１の前後方向及びこれに垂直な方向において、ほぼ中央付近と表現している。
【産業上の利用可能性】
【００２７】
本考案である掃除機ヘッドは、掃除対象面のごみや埃を収集する掃除機に利用することができ、産業上の利用可能性を有する。
【図面の簡単な説明】
【００２８】
【図１】掃除機の全体構成を示す図である。
【図２】掃除機ヘッドの裏面の構成を示す図である。
【図３】掃除機の動作時の様子を示す説明図である。
【符号の説明】
【００２９】
１  掃除機ヘッド
２  柄部
３  操作部
１４  集塵口
１５  露光口
１６  ブラシ
１８  紫外線ランプ
【図１】
0003127307.tif 000003
【図２】
0003127307.tif 000004
【図３】
0003127307.tif 000005